(57)【要約】【課題】  この発明は、他方の会議室内のホワイトボード装置に送信することは避けたいといった送信禁止事項が、一方の会議室内のホワイトボード装置に描画内容の一部として描画された場合において、送信禁止事項が他方の会議室内のホワイトボード装置に表示されるのを自動的に防止できるようになるホワイトボード装置システムを提供することを目的とする。【解決手段】  第１のホワイトボード装置は、自己のホワイトボード装置に描画された描画データを読み取る読取手段、読取手段で読み取った描画データのうちの特定色で描画された描画データを背景色を表すデータに置き換えるといった画像処理を行う画像処理手段、ならびに読取手段で読み取った描画データに対して、画像処理手段による画像処理が施された後の描画データを第２のホワイトボード装置に送信する手段を備えている。【選択図】  図１
2005260739.tif 000002
【特許請求の範囲】
【請求項１】
第１のホワイトボード装置と、第２のホワイトボード装置とを備え、第１のホワイトボード装置は、自己のホワイトボード装置に描画された描画データを読み取って第２のホワイトボード装置に送信する手段を有し、第２のホワイトボード装置は、受信した描画データを自己のホワイトボード装置に描画する手段を備えたホワイトボード装置システムにおいて、
第１のホワイトボード装置は、
自己のホワイトボード装置に描画された描画データを読み取る読取手段、
読取手段で読み取った描画データのうちの特定色で描画された描画データを背景色を表すデータに置き換えるといった画像処理を行う画像処理手段、ならびに
読取手段で読み取った描画データに対して、画像処理手段による画像処理が施された後の描画データを第２のホワイトボード装置に送信する手段、
を備えていることを特徴とするホワイトボード装置システム。
【請求項２】
カラー対応ホワイトボード装置と、白黒対応ホワイトボード装置とを備え、カラー対応ホワイトボード装置は、自己のホワイトボード装置に描画された描画データを読み取って白黒対応ホワイトボード装置に送信する手段を有し、白黒対応ホワイトボード装置は、受信した描画データを自己のホワイトボード装置に描画する手段を備えたホワイトボード装置システムにおいて、
カラー対応ホワイトボード装置は、
自己のホワイトボード装置に描画された描画データを読み取る読取手段、
読取手段で読み取った描画データのうちの特定色で描画された描画データに対して文字認識処理を行って文字部分をテキストデータに変換した後、得られたテキストデータを強調文字のフォントデータに変換し、特定色で描画された描画データを得られた強調文字のフォントデータに置き換えるといった画像処理を行う画像処理手段、ならびに
読取手段で読み取った描画データに対して、画像処理手段による画像処理が施された後の描画データを第２のホワイトボード装置に送信する手段、
を備えていることを特徴とするホワイトボード装置システム。
【請求項３】
強調文字のフォントデータが太文字のフォントデータであることを特徴とする請求項２に記載のホワイトボード装置システム。
【発明の詳細な説明】
【技術分野】
【０００１】
この発明は、ホワイトボード装置システムに関する。
【背景技術】
【０００２】
特開２０００−１８８６５５号公報には、次のようなホワイトボード装置システムが開示されている。つまり、ある会議室と遠隔地の会議室とを用いて合同会議を行う際において、効率的な会議進行および出席者の意思疎通を図るために、一方の会議室でホワイトボード装置に描画された内容を電子データ化して、通信回線を介して他方の会議室のホワイトボード装置に送信する。データを受信したホワイトボード装置は、受信データを描画データに変換して、ホワイトボード装置に描画する。
【０００３】
ところで、上記のようなホワイトボード装置システムを用いて２つの会議室間で合同会議を行う場合において、一方の会議室内のホワイトボード装置には描画しても問題ないが、他方の会議室内のホワイトボード装置に送信することは避けたいといった事項（以下、送信禁止事項という）が、一方の会議室内のホワイトボード装置に描画内容の一部として描画されることがある。このような場合には、描画内容全体を電子データ化して送信する前に、送信禁止事項を消去する必要がある。
【０００４】
また、一方の会議室内のホワイトボード装置としてカラーに対応したカラー対応ホワイトボード装置が用いられ、他方の会議室内のホワイトボード装置として白黒のみに対応した白黒対応ホワイトボード装置が用いられている場合もある。このような場合において、カラー対応ホワイトボード装置に文字等を描画する際に、通常は黒か青で描画し、強調すべき箇所のみを赤等の特定色で描画することがある。しかしながら、このような画像を電子データ化して、白黒対応ホワイトボード装置に送信しても、受信側の白黒対応ホワイトボード装置では白黒で画像が表示されるため、カラー対応ホワイトボード装置において強調して描画された箇所を、受信側で強調箇所として認識できなくなる。
【０００５】
なお、カラー対応ホワイトボード装置とは、画像読取部および画像書込部としてカラー対応のものが用いられいるホワイトボード装置をいい、白黒対応ホワイトボード装置とは、画像読取部および画像書込部として白黒にのみ対応したものが用いられているホワイトボード装置をいう。
【特許文献１】特開２０００−１８８６５５号公報
【発明の開示】
【発明が解決しようとする課題】
【０００６】
この発明は、一方の会議室内のホワイトボード装置には描画しても問題ないが、他方の会議室内のホワイトボード装置に送信することは避けたいといった事項（以下、送信禁止事項という）が、一方の会議室内のホワイトボード装置に描画内容の一部として描画された場合において、送信禁止事項が他方の会議室内のホワイトボード装置に表示されるのを自動的に防止できるようになるホワイトボード装置システムを提供することを目的とする。
【０００７】
また、この発明は、一方の会議室内に設置されたカラー対応ホワイトボード装置から、他方の会議室内に設置された白黒対応ホワイトボード装置に、カラー対応ホワイトボード装置に描画された描画データを送信した場合に、白黒対応ホワイトボード装置側において、カラー対応ホワイトボード装置に描画された描画データのうちの特定色で描画された情報が強調して表示されるようになるホワイトボード装置システムを提供することを目的とする。
【課題を解決するための手段】
【０００８】
請求項１に記載の発明は、第１のホワイトボード装置と、第２のホワイトボード装置とを備え、第１のホワイトボード装置は、自己のホワイトボード装置に描画された描画データを読み取って第２のホワイトボード装置に送信する手段を有し、第２のホワイトボード装置は、受信した描画データを自己のホワイトボード装置に描画する手段を備えたホワイトボード装置システムにおいて、第１のホワイトボード装置は、自己のホワイトボード装置に描画された描画データを読み取る読取手段、読取手段で読み取った描画データのうちの特定色で描画された描画データを背景色を表すデータに置き換えるといった画像処理を行う画像処理手段、ならびに読取手段で読み取った描画データに対して、画像処理手段による画像処理が施された後の描画データを第２のホワイトボード装置に送信する手段を備えていることを特徴とする。
【０００９】
請求項２に記載の発明は、カラー対応ホワイトボード装置と、白黒対応ホワイトボード装置とを備え、カラー対応ホワイトボード装置は、自己のホワイトボード装置に描画された描画データを読み取って白黒対応ホワイトボード装置に送信する手段を有し、白黒対応ホワイトボード装置は、受信した描画データを自己のホワイトボード装置に描画する手段を備えたホワイトボード装置システムにおいて、カラー対応ホワイトボード装置は、自己のホワイトボード装置に描画された描画データを読み取る読取手段、読取手段で読み取った描画データのうちの特定色で描画された描画データに対して文字認識処理を行って文字部分をテキストデータに変換した後、得られたテキストデータを強調文字のフォントデータに変換し、特定色で描画された描画データを得られた強調文字のフォントデータに置き換えるといった画像処理を行う画像処理手段、ならびに読取手段で読み取った描画データに対して、画像処理手段による画像処理が施された後の描画データを第２のホワイトボード装置に送信する手段を備えていることを特徴とする。
【００１０】
請求項３に記載の発明は、請求項２に記載の発明において、強調文字のフォントデータが太文字のフォントデータであることを特徴とする。
【発明の効果】
【００１１】
この発明によれば、一方の会議室内のホワイトボード装置には描画しても問題ないが、他方の会議室内のホワイトボード装置に送信することは避けたいといった事項（以下、送信禁止事項という）が、一方の会議室内のホワイトボード装置に描画内容の一部として描画された場合において、送信禁止事項が他方の会議室内のホワイトボード装置に表示されるのを自動的に防止できるようになる。
【００１２】
また、この発明によれば、一方の会議室内に設置されたカラー対応ホワイトボード装置から、他方の会議室内に設置された白黒対応ホワイトボード装置に、カラー対応ホワイトボード装置に描画された描画データを送信した場合に、白黒対応ホワイトボード装置側において、カラー対応ホワイトボード装置に描画された描画データのうちの特定色で描画された情報が強調して表示されるようになる。
【発明を実施するための最良の形態】
【００１３】
以下、図面を参照して、この発明の実施例について説明する。
【実施例１】
【００１４】
図１は、ホワイトボード装置システムの構成を示している。
【００１５】
ホワイトボード装置システムは、第１室に設置された第１のホワイトボード装置１０と、第２の会議室に設置された第２のホワイトボード装置２０とを備えている。第１のホワイトボード装置１０と、第２のホワイトボード装置２０とは、通信回線を介して接続されている。
【００１６】
第１のホワイトボード装置１０は、制御部１１を備えている。制御部１１には、操作部１２、ホワイトボード装置１０のホワイトボード１に描画された描画データを読み取るためのカラー対応の画像読取部１３、画像読取部１３によって読み取られた描画データに対して所定の画像処理を行う画像処理部１４、画像処理部１４によって画像処理が施された後の描画データを第２のホワイトボード装置２０に送信するためのデータ送信部１５、第２のホワイトボード装置２０から送信されてきた描画データを受信するためのデータ受信部１６およびデータ受信部１６によって受信された描画データをホワイトボード１に書き込むためのカラー対応の画像書込部１７が接続されている。画像書込部１７としては、たとえば、インクジェット式印字装置が用いられる。
【００１７】
第２のホワイトボード装置２０は、制御部２１を備えている。制御部２１には、操作部２２、ホワイトボード装置２０のホワイトボード２に描画された描画データを読み取るためのカラー対応の画像読取部２３、画像読取部２３によって読み取られた描画データに対して所定の画像処理を行う画像処理部２４、画像処理部２４によって画像処理が施された後の描画データを第１のホワイトボード装置１０に送信するためのデータ送信部２５、第１のホワイトボード装置１０から送信されてきた描画データを受信するためのデータ受信部２６およびデータ受信部２６によって受信された描画データをホワイトボード２に書き込むためのカラー対応の画像書込部２７が接続されている。
【００１８】
以下、第１の会議室内の第１のホワイトボード装置１０に描画された描画データを、第２の会議室内の第２のホワイトボード装置２０に送信する場合について説明する。
【００１９】
ところで、第１の会議室内のホワイトボード装置１０には描画しても問題ないが、第２の会議室内の第２のホワイトボード装置２０に送信することは避けたいといった事項（以下、送信禁止事項という）がある場合を想定する。このような場合には、第１のホワイトボード装置１０に文字等を描画する際において、送信禁止事項については、予め定められた特定色（例えば、赤）で描画し、それ以外の事項については上記特定色以外の色を用いて描画する。
【００２０】
第１のホワイトボード装置１０に描画された描画データを、第２のホワイトボード装置２０に送信する際には、第１のホワイトボード装置１０は、第１のホワイトボード装置１０に描画された描画データのうち、特定色で描画された描画データを背景色データに置き換えた後に、第２のホワイトボード装置２０に送信するといった特殊送信機能を備えている。この結果、第２のホワイトボード装置２０は、第１のホワイトボード装置１０から送られてきた描画データを画像書込部２７によってホワイトボード２に書き込んだ場合に、上記特定色で描画された送信禁止事項は背景色で表示されるため、第２の会議室のメンバーは上記送信禁止事項を認識できなくなる。
【００２１】
図２は、特殊送信機能を実行する際の第１のホワイトボード装置１０の動作を示している。
【００２２】
第１のホワイトボード装置１０のホワイトボード１上には、手書きで文字を含む画像が描画されているものとする。また、送信禁止事項については、予め設定された特定色（例えば赤）で描画されているものとする。
【００２３】
特殊送信機能を実行する際には、ユーザは、操作部１２を操作して、特殊送信実行指令を入力する。
【００２４】
特殊送信実行指令が入力されると（ステップＳ１）、画像読取部１３による描画データの読み取り処理が開始せしめられる（ステップＳ２）。画像読取部１３は、ホワイトボード１上の描画データを読み取る。画像読取部１３によって読み取られた描画データ（ビットマップデータ）は、画像処理部１４内のメモリに蓄積される（ステップＳ３）。ここでは、読み取られた描画データは、Ｒ，Ｇ，Ｂ各８ビットのデータであり、最も低い輝度の輝度値が”２５５”として表され、最も高い輝度値が”０”として表されるものとする。      
【００２５】
画像読取部１３による描画データの読み取り処理が終了すると、読み取られた描画データの中に特定色で描画されたデータが存在するか否かを判別する（ステップＳ４）。読み取られた描画データの中に特定色で描画されたデータが存在しない場合には、ステップＳ６に進む。
【００２６】
読み取られた描画データの中に特定色で描画されたデータが存在する場合には、画像処理部１４によって、読み取られた描画データのうちの特定色の描画データを予め定められた背景色を表すデータ（白または白に近い灰色を表すデータ）に置き換えた後（ステップＳ５）、ステップＳ６に移行する。
【００２７】
ステップＳ６では、読み取られた描画データ（特定色が存在する場合には、上記ステップＳ５の処理が行われた後の描画データ）を、送信しやすい形式の画像データに変換した後に、データ送信部１５によって、第２のホワイトボード装置２０に送信する。そして、今回の特殊送信処理を終了する。
【００２８】
なお、第２のホワイトボード装置２０は、第１のホワイトボード装置１０から画像データが送られてくると、その画像データを描画データ（ビットマップデータ）に変換した後、画像書込部２７によってホワイトボード２に書き込む。この結果、第１のホワイトボード装置１０に特定色で描画された文字は、第２のホワイトボード装置２０側においては、ほぼ背景と同じ色で描画されるため、文字として認識されなくなる。
【実施例２】
【００２９】
図３は、ホワイトボード装置システムの構成を示している。
【００３０】
ホワイトボード装置システムは、第１室に設置された第１のホワイトボード装置３０と、第２の会議室に設置された第２のホワイトボード装置４０とを備えている。第１のホワイトボード装置３０と、第２のホワイトボード装置４０とは、通信回線を介して接続されている。第１のホワイトボード装置３０は、カラー対応のホワイトボード装置であり、第２のホワイトボード装置４０は、白黒対応のホワイトボード装置である。
【００３１】
なお、カラー対応ホワイトボード装置とは、画像読取部および画像書込部としてカラー対応のものが用いられいるホワイトボード装置をいい、白黒対応ホワイトボード装置とは、画像読取部および画像書込部として白黒にのみ対応したものが用いられているホワイトボード装置をいう。
【００３２】
第１のホワイトボード装置３０は、制御部３１を備えている。制御部３１には、操作部３２、ホワイトボード装置３０のホワイトボード３に描画された描画データを読み取るためのカラー対応の画像読取部３３、画像読取部３３によって読み取られた描画データに対して所定の画像処理を行う画像処理部３４、画像処理部３４によって画像処理が施された後の描画データを第２のホワイトボード装置４０に送信するためのデータ送信部３５、第２のホワイトボード装置４０から送信されてきた描画データを受信するためのデータ受信部３６およびデータ受信部３６によって受信された描画データをホワイトボード３に書き込むためのカラー対応の画像書込部３７が接続されている。画像書込部３７としては、たとえば、カラー対応のインクジェット式印字装置が用いられる。
【００３３】
第２のホワイトボード装置４０は、制御部４１を備えている。制御部４１には、操作部４２、ホワイトボード装置４０のホワイトボード４に描画された描画データを読み取るための白黒のみに対応した画像読取部４３、画像読取部４３によって読み取られた描画データに対して所定の画像処理を行う画像処理部４４、画像処理部４４によって画像処理が施された後の描画データを第１のホワイトボード装置３０に送信するためのデータ送信部４５、第１のホワイトボード装置３０から送信されてきた描画データを受信するためのデータ受信部４６およびデータ受信部４６によって受信された描画データをホワイトボード４に書き込むための白黒のみに対応した画像書込部４７が接続されている。
【００３４】
以下、第１の会議室内の第１のホワイトボード装置３０に描画された描画データを、第２の会議室内の第２のホワイトボード装置４０に送信する場合について説明する。
【００３５】
ところで、カラー対応の第１のホワイトボード装置３０に文字等を描画する際に、通常は黒か青で描画し、強調すべき箇所の文字のみを赤等の特定色で描画することがある。しかしながら、このような画像を電子データ化して、白黒対応の第２のホワイトボード装置４０に送信しても、受信側の白黒対応ホワイトボード装置４０では白黒で画像が表示されるため、第１のホワイトボード装置３０において強調して描画された箇所を、受信側で強調箇所として認識できなくなる。
【００３６】
カラー対応の第１のホワイトボード装置３０に描画された描画データを、白黒対応の第２のホワイトボード装置４０に送信する際には、第１のホワイトボード装置３０は、第１のホワイトボード装置４０に描画された描画データのうち、特定色で描画された描画データを太文字（強調文字）のフォントデータに置き換えた後に、第２のホワイトボード装置４０に送信するといった特殊送信機能を備えている。この結果、第２のホワイトボード装置４０は、第１のホワイトボード装置３０から送られてきた描画データを画像書込部４７によってホワイトボード４に書き込んだ場合に、上記特定色で描画された箇所が太文字で表示されるため、第１のホワイトボード装置３０において強調して描画された箇所を、受信側で強調箇所として認識できるようになる。
【００３７】
図４は、特殊送信機能を実行する際の第１のホワイトボード装置３０の動作を示している。
【００３８】
第１のホワイトボード装置３０のホワイトボード１上には、手書きで文字を含む画像が描画されているものとする。また、強調すべき箇所の文字については、予め設定された特定色（例えば赤）で描画されているものとする。
【００３９】
特殊送信機能を実行する際には、ユーザは、操作部３２を操作して、特殊送信実行指令を入力する。
【００４０】
特殊送信実行指令が入力されると（ステップＳ１１）、画像読取部３３による描画データの読み取り処理が開始せしめられる（ステップＳ１２）。画像読取部３３は、ホワイトボード３上の描画データを読み取る。画像読取部３３によって読み取られた描画データ（ビットマップデータ）は、画像処理部３４内の第１メモリに蓄積される（ステップＳ１３）。ここでは、読み取られた描画データは、Ｒ，Ｇ，Ｂ各８ビットのデータであり、最も低い輝度の輝度値が”２５５”として表され、最も高い輝度値が”０”として表されるものとする。
【００４１】
画像読取部３３による描画データの読み取り処理が終了すると、読み取られた描画データの中に特定色で描画されたデータが存在するか否かを判別する（ステップＳ１４）。読み取られた描画データの中に特定色で描画されたデータが存在しない場合には、読み取られた描画データを２値の白黒データに変換した後（ステップＳ２０）、ステップＳ２１に進む。
【００４２】
読み取られた描画データの中に特定色で描画されたデータが存在する場合には、画像処理部３４は、第１メモリに記憶されている描画データ（Ｒ，Ｇ，Ｂ毎のデータ）に基づいて、描画データ領域を特定色で描画されている部分と特定色で描画されていない部分とに分類し、特定色で描画されている部分の画素値を白黒２値における黒を表すデータ”１”にし、それ以外の部分の画素値を白黒２値における白を表すデータ”０”にした２値の白黒画像データを生成して第２メモリに記憶する（ステップＳ１５）。そして、第２メモリ内の白黒画像データに対して、文字認識処理を行って文字部分（特定色で描画されていた文字部分に相当する）をテキストデータに変換した後、得られたテキストデータを太文字のフォントデータ（強調文字のフォントデータ）に変換し、第２メモリ内の文字部分のデータを太文字のフォントデータに置き換える（ステップＳ１６）。このようにして得られた画像を、第１の２値画像データということにする。
【００４３】
また、第１メモリ内の描画データ（Ｒ，Ｇ，Ｂ毎のデータ）のうち、特定色で描画されている部分を白データ”０”（８ビットデータ）に変換する（ステップＳ１７）。そして、変換後の第１メモリに記憶されている描画データ（Ｒ，Ｇ，Ｂ毎のデータ）に基づいて、描画データ領域を背景部分（白に近い部分）と背景以外の部分とに分類し、背景色で描画されている部分の画素値を白黒２値における白を表すデータ”０”にし、背景以外の部分の画素値を白黒２値における黒を表すデータ”１”にした２値の白黒画像データを生成して第３メモリに記憶する。（ステップＳ１８）。このようにして得られた画像を第２の２値画像データということする。
【００４４】
次に、第２メモリ内の第１の２値画像データと、第３メモリ内の第２の２値画像データとを合成する（ステップＳ１９）。合成データによって表される画像は、画像読取部３３によって読み取られたカラーの描画データに対応する白黒画像であって、特定色で描画去れていた文字部分が太文字のフォントデータに置き換えられた白黒画像となる。
【００４５】
ステップＳ２１では、ステップＳ１９で得られた白黒画像データまたはステップＳ２０で得られた白黒画像データを、送信しやすい形式の画像データに変換した後に、データ送信部３５によって、第２のホワイトボード装置４０に送信する。そして、今回の特殊送信処理を終了する。
【００４６】
なお、第２のホワイトボード装置４０は、第１のホワイトボード装置３０から画像データが送られてくると、その画像データを描画データ（ビットマップデータ）に変換した後、画像書込部４７によってホワイトボード４に書き込む。この結果、第１のホワイトボード装置３０に特定色で描画された文字は、第２のホワイトボード装置４０側においては、太文字のフォントデータで規定される太文字として描画されることになる。
【００４７】
上記ステップＳ１６では、特定色で描画されていた文字部分に相当するデータを、太文字のフォントデータに変換しているが、例えば、斜体のフォントデータのように、強調できるフォントデータであれば、太文字以外のフォントデータに変換してもよい。つまり、強調文字のフォントデータは、斜体等のように、通常の書体と異なる書体のフォントデータであればよい。
【図面の簡単な説明】
【００４８】
【図１】第１実施例のホワイトボード装置システムの構成を示すブロック図である。
【図２】第１実施例において、特殊送信機能を実行する際の第１のホワイトボード装置１０の動作を示すフローチャートである。
【図３】第２実施例のホワイトボード装置システムの構成を示すブロック図である。
【図４】第２実施例において、特殊送信機能を実行する際の第１のホワイトボード装置３０の動作を示すフローチャートである。
【符号の説明】
【００４９】
１０，２０，３０，４０  ホワイトボード装置
１１，２１，３１，４１  制御部
１３，３３  画像読取部
１４，３４  画像処理部
１５，３５  データ送信部
２６，４６  データ受信部
２７，４７  画像書込部
【図１】
2005260739.tif 000003
【図２】
2005260739.tif 000004
【図３】
2005260739.tif 000005
【図４】
2005260739.tif 000006